(57)【特許請求の範囲】
【請求項１】
建物の陸屋根を形成する屋根ユニットであって、
山部と谷部とが繰り返し形成されて一方向に延びる溝が複数形成されたデッキプレートと、前記デッキプレートよりも上に配置される断熱材と、前記断熱材よりも上に配置される押さえボードと、
前記押さえボードから前記デッキプレートまでを貫通し、前記押さえボード、前記断熱材及び前記デッキプレートを互いに固定する固定具と、
前記デッキプレートにおける複数の山部又は複数の谷部に架け渡され、前記複数の山部のうち少なくとも二つ以上の山部又は前記複数の谷部のうちの少なくとも二つ以上の谷部に対して固定される第１の補強プレートと、を備え、
前記押さえボードは、前記断熱材よりも高い剛性を有し、
前記断熱材は、前記デッキプレートと前記押さえボードとによって挟持されている、屋根ユニット。
【請求項２】
前記デッキプレートの外縁のうち前記溝の方向に平行な外縁には前記谷部が形成されており、該谷部には建物の躯体に対する接合部、又は、隣接して設けられる他の前記屋根ユニットに対する接合部が形成されている、請求項１に記載の屋根ユニット。
【請求項３】
前記デッキプレートの外縁のうち前記溝の方向に平行な外縁には前記谷部が形成されており、該谷部の上方に向かって持ち出されるように、前記山部に対して固定される第２の補強プレートをさらに備える、請求項１又は２に記載の屋根ユニット。
【請求項４】
前記デッキプレートの外縁のうち前記溝の方向に平行な外縁には前記谷部が形成されており、該谷部には、前記断熱材及び前記押さえボードを下方から支える支持材が設けられている、請求項１〜３のいずれか一項に記載の屋根ユニット。
【請求項５】
前記断熱材及び前記押さえボードは、前記デッキプレートの外縁の少なくとも一辺から後退して設けられており、前記デッキプレートの山部の一部が露出している、請求項１〜４のいずれか一項に記載の屋根ユニット。
【請求項６】
建物の陸屋根を形成する屋根ユニットであって、
山部と谷部とが繰り返し形成されて一方向に延びる溝が複数形成されたデッキプレートと、前記デッキプレートよりも上に配置される断熱材と、前記断熱材よりも上に配置される押さえボードと、
前記押さえボードから前記デッキプレートまでを貫通し、前記押さえボード、前記断熱材及び前記デッキプレートを互いに固定する固定具と、を備え、
前記押さえボードは、前記断熱材よりも高い剛性を有し、
前記断熱材は、前記デッキプレートと前記押さえボードとによって挟持されており、
前記デッキプレートの外縁のうち前記溝の方向に平行な外縁には前記谷部が形成されており、該谷部には建物の躯体に対する接合部、又は、隣接して設けられる他の前記屋根ユニットに対する接合部が形成されている、屋根ユニット。
【請求項７】
前記デッキプレートの外縁のうち前記溝の方向に平行な外縁には前記谷部が形成されており、該谷部の上方に向かって持ち出されるように、前記山部に対して固定される第２の補強プレートをさらに備える、請求項６に記載の屋根ユニット。
【請求項８】
前記デッキプレートの外縁のうち前記溝の方向に平行な外縁には前記谷部が形成されており、該谷部には、前記断熱材及び前記押さえボードを下方から支える支持材が設けられている、請求項６又は７に記載の屋根ユニット。
【請求項９】
前記断熱材及び前記押さえボードは、前記デッキプレートの外縁の少なくとも一辺から後退して設けられており、前記デッキプレートの山部の一部が露出している、請求項６〜８のいずれか一項に記載の屋根ユニット。
【請求項１０】
建物の陸屋根を形成する屋根ユニットであって、
山部と谷部とが繰り返し形成されて一方向に延びる溝が複数形成されたデッキプレートと、前記デッキプレートよりも上に配置される断熱材と、前記断熱材よりも上に配置される押さえボードと、
前記押さえボードから前記デッキプレートまでを貫通し、前記押さえボード、前記断熱材及び前記デッキプレートを互いに固定する固定具と、を備え、
前記押さえボードは、前記断熱材よりも高い剛性を有し、
前記断熱材は、前記デッキプレートと前記押さえボードとによって挟持されており、
前記デッキプレートの外縁のうち前記溝の方向に平行な外縁には前記谷部が形成されており、該谷部の上方に向かって持ち出されるように、前記山部に対して固定される第２の補強プレートをさらに備える、屋根ユニット。
【請求項１１】
前記デッキプレートの外縁のうち前記溝の方向に平行な外縁には前記谷部が形成されており、該谷部には、前記断熱材及び前記押さえボードを下方から支える支持材が設けられている、請求項１０に記載の屋根ユニット。
【請求項１２】
前記断熱材及び前記押さえボードは、前記デッキプレートの外縁の少なくとも一辺から後退して設けられており、前記デッキプレートの山部の一部が露出している、請求項１０又は１１に記載の屋根ユニット。
【請求項１３】
建物の陸屋根を形成する屋根ユニットであって、
山部と谷部とが繰り返し形成されて一方向に延びる溝が複数形成されたデッキプレートと、前記デッキプレートよりも上に配置される断熱材と、前記断熱材よりも上に配置される押さえボードと、
前記押さえボードから前記デッキプレートまでを貫通し、前記押さえボード、前記断熱材及び前記デッキプレートを互いに固定する固定具と、を備え、
前記押さえボードは、前記断熱材よりも高い剛性を有し、
前記断熱材は、前記デッキプレートと前記押さえボードとによって挟持されており、
前記デッキプレートの外縁のうち前記溝の方向に平行な外縁には前記谷部が形成されており、該谷部には、前記断熱材及び前記押さえボードを下方から支える支持材が設けられている、屋根ユニット。
【請求項１４】
前記断熱材及び前記押さえボードは、前記デッキプレートの外縁の少なくとも一辺から後退して設けられており、前記デッキプレートの山部の一部が露出している、請求項１３に記載の屋根ユニット。
【請求項１５】
建物の陸屋根を形成する屋根ユニットであって、
山部と谷部とが繰り返し形成されて一方向に延びる溝が複数形成されたデッキプレートと、前記デッキプレートよりも上に配置される断熱材と、前記断熱材よりも上に配置される押さえボードと、
前記押さえボードから前記デッキプレートまでを貫通し、前記押さえボード、前記断熱材及び前記デッキプレートを互いに固定する固定具と、を備え、
前記押さえボードは、前記断熱材よりも高い剛性を有し、
前記断熱材は、前記デッキプレートと前記押さえボードとによって挟持されており、
前記断熱材及び前記押さえボードは、前記デッキプレートの外縁の少なくとも一辺から後退して設けられている、前記デッキプレートの山部の一部が露出している、屋根ユニット。
【請求項１６】
前記デッキプレートと前記断熱材との間には不燃材が配置されている請求項１〜１５のいずれか一項に記載の屋根ユニット。
【請求項１７】
前記デッキプレートの下面には不燃材が配置されている請求項１〜１６のいずれか一項に記載の屋根ユニット。
【請求項１８】
陸屋根の水勾配を形成するための勾配材が前記断熱材の下若しくは上に配置されている、又は、陸屋根の水勾配が前記断熱材に形成されている、請求項１〜１７のいずれか一項に記載の屋根ユニット。
【請求項１９】
前記水勾配は、屋根ユニットごとに寄棟状となるように成形される、請求項１８に記載の屋根ユニット。
【請求項２０】
請求項１８に記載の屋根ユニットが複数配置されて、陸屋根全体で一つの寄棟状の水勾配が形成された、屋根構造。
【請求項２１】
建物の陸屋根を形成する屋根ユニットであって、
山部と谷部とが繰り返し形成されて一方向に延びる溝が複数形成されたデッキプレートと、前記デッキプレートよりも上に配置される断熱材と、前記断熱材よりも上に配置される押さえボードと、
前記押さえボードから前記デッキプレートまでを貫通し、前記押さえボード、前記断熱材及び前記デッキプレートを互いに固定する固定具と、を備え、
前記押さえボードは、前記断熱材よりも高い剛性を有し、
前記断熱材は、前記デッキプレートと前記押さえボードとによって挟持されており、
陸屋根の水勾配を形成するための勾配材が前記断熱材の下若しくは上に配置されている、又は、陸屋根の水勾配が前記断熱材に形成されており、
前記水勾配は、屋根ユニットごとに寄棟状となるように成形される、屋根ユニット。
【請求項２２】
建物の陸屋根を形成する屋根ユニットの製造方法であって、
山部と谷部とが繰り返し形成されて一方向に延びる溝が複数形成されたデッキプレートよりも上に断熱材を配置し、前記断熱材よりも上に、前記断熱材よりも高い剛性を有する押さえボードを配置する工程と、
前記押さえボードから前記デッキプレートまでを貫通する固定具によって、前記断熱材が前記デッキプレートと前記押さえボードとによって挟持されるように、前記押さえボード、前記断熱材及び前記デッキプレートを互いに固定する工程と、
前記デッキプレートにおける複数の山部又は複数の谷部に第１の補強プレートを架け渡し、前記複数の山部のうち少なくとも二つ以上の山部又は前記複数の谷部のうちの少なくとも二つ以上の谷部に対して前記第１の補強プレートを固定する工程と、を備える、屋根ユニットの製造方法。
【請求項２３】
建物の陸屋根を形成する屋根ユニットの製造方法であって、
山部と谷部とが繰り返し形成されて一方向に延びる溝が複数形成されたデッキプレートよりも上に断熱材を配置し、前記断熱材よりも上に、前記断熱材よりも高い剛性を有する押さえボードを配置する工程と、
前記押さえボードから前記デッキプレートまでを貫通する固定具によって、前記断熱材が前記デッキプレートと前記押さえボードとによって挟持されるように、前記押さえボード、前記断熱材及び前記デッキプレートを互いに固定する工程と、を備え、
前記デッキプレートの外縁のうち前記溝の方向に平行な外縁には前記谷部が形成されており、該谷部には建物の躯体に対する接合部、又は、隣接して設けられる他の前記屋根ユニットに対する接合部が形成されている、屋根ユニットの製造方法。
【発明の詳細な説明】
【技術分野】
【０００１】
本発明は、屋根ユニット及び屋根構造に関する。
【背景技術】
【０００２】
従来、建物躯体に据え付けられることで屋根を構成する屋根ユニットが知られている。例えば、特許文献１には、平面視梯子形状を呈するパネルフレームの上に波形のデッキプレートが設置され、その上に断熱ボードが設置され、さらにその上に防水シートが張られた状態で、これらが一体化された屋根パネルが開示されている。
【先行技術文献】
【特許文献】
【０００３】
【特許文献１】特開２００３−２９３５０８号公報
【発明の概要】
【発明が解決しようとする課題】
【０００４】
特許文献１に記載された屋根パネルでは、デッキプレートと断熱ボードとを支える為にパネルフレームが必須であった。更に、パネルフレームは、屋根パネルの面外剛性を担保するために鉄骨とする必要があり、これによって屋根パネルの重量が増加していた。その結果、屋根パネルの施工性や搬入性が低下する虞があった。
【０００５】
本発明は、従来に比し、施工性や搬入性が向上した屋根ユニットを提供することを目的とする。
【課題を解決するための手段】
【０００６】
本発明は、建物の陸屋根を形成する屋根ユニットであって、山部と谷部とが繰り返し形成されて一方向に延びる溝が複数形成されたデッキプレートと、デッキプレートよりも上に配置される断熱材と、断熱材よりも上に配置される押さえボードと、押さえボードからデッキプレートまでを貫通し、押さえボード、断熱材及びデッキプレートを互いに固定する固定具と、を備え、押さえボードは、断熱材よりも高い剛性を有し、断熱材は、デッキプレートと押さえボードとによって挟持されている。
【０００７】
この屋根ユニットでは、押さえボードとデッキプレートとが断熱材を挟持した状態で、押さえボードからデッキプレートまでを固定具が貫通している。この場合、所定の剛性を備えた押さえボードとデッキプレートと一体化され、従来のような鉄骨のフレームを付加せずとも、屋根ユニット全体での面外剛性を向上させることができる。したがって、屋根ユニットが軽量化され、施工性や搬入性が向上する。
【０００８】
また、デッキプレートにおける複数の山部又は複数の谷部に架け渡され、複数の山部のうち少なくとも二つ以上の山部又は複数の谷部のうちの少なくとも二つ以上の谷部に対して固定される第１の補強プレートをさらに備えてもよい。このような第１の補強プレートを備えることで、屋根ユニットの面外剛性をさらに向上させることができる。
【０００９】
また、デッキプレートの外縁のうち溝の方向に平行な外縁には谷部が形成されており、この谷部には建物の躯体に対する接合部、又は、隣接して設けられる他の屋根ユニットに対する接合部が形成されていてもよい。接合部がデッキプレートの外縁の谷部に形成されているため、ボルト等の接合部材が山部側に設けられた断熱材等に干渉することがなく、施工性が向上する。また、デッキプレートの接合部が建物の躯体または他の屋根ユニットと接合され、躯体と複数の屋根ユニットとが一体化されることで、屋根の面剛性が高められる。
【００１０】
また、デッキプレートの外縁のうち溝の方向に平行な外縁には谷部が形成されており、この谷部の上方に向かって持ち出されるように、山部に対して固定される第２の補強プレートをさらに備えてもよい。また、この谷部には、断熱材及び押さえボードを下方から支える支持材が設けられてもよい。屋根ユニットの外縁に歩行等による荷重が加わった場合であっても、押さえボード等の端部が沈み込むことを抑制できる。
【００１１】
また、断熱材及び押さえボードは、デッキプレートの外縁の少なくとも一辺から後退して設けられており、デッキプレートの山部の一部が露出していてもよい。他の部材を露出した山部に支持させながら、他の部材を山部に接合できるので施工性を向上できる。
【００１２】
また、デッキプレートと断熱材との間には不燃材が配置されていてもよい。また、デッキプレートの下面には不燃材が配置されていてもよい。不燃材を配置することで、耐火性を向上できる。また、不燃材として断熱材よりも剛性の高い板材を用いることで、強度の向上にも有利となる。
【００１３】
また、陸屋根の水勾配を形成するための勾配材が断熱材の下若しくは上に配置されている、又は、陸屋根の水勾配が断熱材に形成されてもよい。また、このような屋根ユニットが複数配置されて形成される屋根構造では、陸屋根全体で一つの寄棟状の水勾配が成形されてもよい。このように形成されることで、雨水の排水を速やかに行うことができる。
【００１４】
また、水勾配は、屋根ユニットごとに寄棟状となるように成形されてもよい。一つの陸屋根内に水勾配の谷部が多く形成されることで、雨水の排水及び蒸発を効率的に行うことができる。
【発明の効果】
【００１５】
本発明によれば、従来に比し、施工性や搬入性が向上した屋根ユニットを提供することができる。
【図面の簡単な説明】
【００１６】
【図１】第１の実施形態に係る屋根ユニットを備えて構成された屋根の平面図である。
【図２】図１のＩＩ−ＩＩ線に沿った断面図であり、（ａ）は屋根ユニットを組み付ける手前の分解図であり、（ｂ）は屋根ユニットを組み付けた状態を示す図である。
【図３】屋根ユニット同士の接合部分を説明するための分解図である。
【図４】（ａ）は屋根ユニットの端部に配置された支持材を示す断面図であり、（ｂ）は（ａ）のｂ−ｂ線に沿った断面図である。
【図５】パラペットユニット及び屋根ユニットの建物との接合部分を説明するための分解図である。
【図６】屋根ユニットの勾配を示す平面図である。
【図７】第２の実施形態に係る屋根ユニットの断面図であり、（ａ）は屋根ユニットを組み付ける手前の分解図であり、（ｂ）は屋根ユニットを組み付けた状態を示す図である。
【図８】第３の実施形態に係る屋根ユニットの断面図であり、（ａ）は屋根ユニットを組み付ける手前の分解図であり、（ｂ）は屋根ユニットを組み付けた状態を示す図である。
【図９】屋根ユニットとジョイント部ユニットとの接合部分を説明するための分解図である。
【図１０】第４の実施形態に係る屋根ユニット同士の接合部分を説明するための分解図である。
【図１１】第５の実施形態に係る屋根ユニット同士の接合部分を説明するための分解図である。
【図１２】屋根ユニット同士の接合部分の変形例を説明するための分解図である。
【図１３】屋根ユニットとジョイント部ユニットとの接合部分の変形例を説明するための分解図である。
【図１４】屋根構造における屋根ユニットの組み合わせの変形例を示す平面図である。
【図１５】屋根ユニットの勾配の変形例を示す平面図である。
【発明を実施するための形態】
【００１７】
以下、本発明に係る実施の形態について図面を参照しながら具体的に説明する。便宜上、実質的に同一の要素には同一の符号を付し、その説明を省略する場合がある。
【００１８】
（第１の実施形態）
まず、第１の実施形態について説明する。図１は本実施形態に係る屋根ユニットを備えて構成された陸屋根の平面図（伏図）である。鉄骨造の建物１００は、陸屋根を形成する屋根構造１０１Ａを備えている。屋根構造１０１Ａは、外縁Ｂ同士が互いに接合されて組み合わされた複数の屋根ユニット１Ａと、組み合わされた屋根ユニット１Ａの周囲を囲むパラペットユニット３０とによって形成されている。なお、屋根ユニット１Ａは予め工場等で製作されたものであり、トラック等によって工場等から現場へ搬送され、クレーン等により吊り上げられて建物に取付けられる。また、屋根ユニット１Ａとして、同じ大きさのものを図示しているが、屋根ユニット１Ａの大きさは後述するように設計される屋根の形状や大きさによって適宜変更されるものである。また、パラペットユニット３０は、配置される場所によって異なる平面形状を有しているが、基本的な構成は共通している。また、本実施形態における建物１００は、所定の平面モジュールを有している。この平面モジュールとは、建築において設計上の基準となる基本寸法を意味し、建物１００は、平面的寸法（隣り合う柱の中心間の距離など）が平面モジュールの整数倍となるように構成される。
【００１９】
図２に示されるように、屋根ユニット１Ａは、デッキプレート２と、勾配材３と、断熱材５と、押さえボード６と、防水シート７とを備えている。デッキプレート２は、建物１００の平面モジュールに対応した平面サイズを備えた鋼板部材である。デッキプレート２には、一方向（図１の溝方向Ｄ参照）に延びる複数の溝２ａが一定の間隔で連続して形成されている。溝２ａは、例えば７５ｍｍ程度の深さであり、底部に向かって幅が狭くなっている。これにより、デッキプレート２は、側面視台形状の山部２ｂと、側面視逆台形状の谷部２ｃとが繰り返し形成される略波形状を呈する。デッキプレート２において、溝方向Ｄ（図１参照）に平行な端部Ｂ１，Ｂ２は、谷部２ｃで終わっている。
【００２０】
勾配材３は、屋根ユニット１Ａの上面に所定の勾配をつけるためのものである。勾配材３は、例えば、１／５０〜１／１００程度の水勾配が形成された板状部材である。本実施形態では、勾配材３は断熱機能を有するポリスチレンフォームによって形成されている。勾配材３は、デッキプレート２よりも上に配置されている。
【００２１】
断熱材５は、屋根ユニット１Ａに要求される断熱性能を付与するためのものである。断熱材５は、厚さが均一な板状部材であり、例えばフェノールフォームである。本実施形態では、断熱材５が２層重ねて設けられている。なお、断熱材５は、屋根ユニット１Ａに要求される断熱性能に応じて、１層であってもよいし、３層以上であってもよい。断熱材５は、デッキプレート２よりも上に配置されるものであり、本実施形態では、勾配材３の上に配置されている。なお、勾配材３が所望の断熱性を有し断熱材としても機能する場合は、断熱材５を省略してもよい。
【００２２】
押さえボード６は、断熱材５よりも上に配置される板状部材である。押さえボード６は、少なくとも断熱材５よりも高い剛性を備えるものであり、例えば、セメント系ボード（ケイカル板、パルプ混入セメント板、スラグ石膏ボード、硬質木片セメント板、繊維混入スレート等）、木材、木質ボード（合板、パーティクルボード、ＭＤＦ、ＯＳＢ、ハードボード、ＣＬＴ、集成材、樹脂木材等）等によって形成される。
【００２３】
防水シート７は、屋根ユニット１Ａに防水性を付与するためのものであり、屋根ユニット１Ａの最上層に配置される。防水シート７は、例えばポリ塩化ビニルによって形成されるシート材である。また、防水シート７の材料としては、ポリ塩化ビニル以外に、アスファルト系シート、ゴムアスファルト系シート、ゴム系シート、ブチルゴム系シート、アクリルゴム系シート等の種々のシートを用いてもよい。なお、以下の説明では、防水シート７の固定態様として、主に全面接着工法による接着を例示するが、例えば、機械固定工法（例えば、絶縁工法、浮かし張り工法）、接着と機械固定の混合工法等による固定であってもよい。さらに、防水シート７に代えて、押さえボード６の上面にウレタン系塗膜防水を施してもよい。
【００２４】
また、本実施形態では、デッキプレート２の周縁において、デッキプレート２と勾配材３との間に、適宜に補強プレート１１，１２が配置されている。補強プレート（第１の補強プレート）１１（図１参照）は、デッキプレート２の溝方向Ｄに直交する帯状のプレートであり、例えば、補強プレート１１は、デッキプレート２の溝方向Ｄの両端に配置される。補強プレート１１は、少なくとも複数の山部２ｂに架け渡され、当該複数の山部２ｂのうち少なくとも二つ以上の山部２ｂに対して固定されることで、デッキプレートが撓むことを抑制する。補強プレート１１は、例えば鋼製であるが、鋼製以外にも、他の金属類（鉄、ステンレス、アルミニウム、銅等）であってもよい。
【００２５】
また、図１〜図３に示されるように、補強プレート（第２の補強プレート）１２は、溝方向Ｄに延びる帯状のプレートであり、デッキプレート２の溝方向Ｄに平行な外縁Ｂにおいて、他の屋根ユニット１Ａと接合される端部Ｂ１に設けられている。補強プレート１２は、少なくとも、端部Ｂ１の谷部２ｃに隣接した山部２ｂに固定されるものであり、その山部２ｂに沿って延在している。特に図３に示されるように、補強プレート１２における、端部Ｂ１側の端縁１２ａは、外縁の谷部２ｃの上方に向かって持ち出されている。
【００２６】
屋根ユニット１Ａは、デッキプレート２の上面に補強プレート１１，１２が配置され、その上に勾配材３、断熱材５、押さえボード６、防水シート７が順次積層されて形成される。屋根ユニット１Ａには、押さえボード６からデッキプレート２までが密着した状態で、押さえボード６側からビス（固定具）１４が打ち込まれている。ビス１４は、頭抜け防止のために断面がＬ形のワッシャー１５を介して打ち込まれている。これにより、押さえボード６、断熱材５、勾配材３、補強プレート１１，１２及びデッキプレート２は一体的に固定される。この際、断熱材５及び勾配材３は、押さえボード６とデッキプレート２とによって挟持される。このように一体的に固定された押さえボード６の上面には、粘着剤７ａによって防水シート７が接着される。粘着剤７ａは、防水シート７を押さえボード６に密着させるために、ゴム系粘着剤が望ましい。例えば、ネオプレーン系、クロロプレーン系、ニトリルゴム系、天然ゴム系の粘着剤が使用される。なお、ビス１４の頭抜け防止のために使用されるワッシャーは、上述のような断面がＬ形のワッシャーに限定されるものではなく、平面視で円形状の平ワッシャー（後述するワッシャー３２と同形状）でもよい。
【００２７】
図３に示されるように、本実施形態における屋根ユニット１Ａでは、他の屋根ユニット１Ａと接合される側の端部Ｂ１において、防水シート７、押さえボード６、断熱材５、勾配材３及びデッキプレート２の端縁が揃っている。この端部Ｂ１では、図４に示されるように、デッキプレート２の谷部２ｃに支持材１６が配置される。支持材１６は、谷部２ｃの形状に対応して設けられる上面１６ａ、斜面１６ｂ及び底面１６ｃと、上面１６ａ、斜面１６ｂ及び底面１６ｃに直交する側面１６ｄとを備える。支持材１６は、例えば鋼製からなり、断熱材５及び押さえボード６を下方から支持するものである。支持材１６は、谷部２ｃの溝方向に沿って、所定の間隔（例えば３００ｍｍ程度）で配置される。
【００２８】
図２及び図３に示されるように、隣接する屋根ユニット１Ａ間では、デッキプレート２同士がジョイントプレート１７によって接合される。屋根ユニット１Ａのデッキプレート２は、その端縁が谷部２ｃとなっている。この谷部２ｃには、溝方向Ｄにそって所定のピッチで接合部１８ａが形成されている（図４（ｂ）参照）。接合部１８ａは、例えば予めデッキプレート２に溶接されたナットからなる。ジョイントプレート１７は、デッキプレート２の溝方向Ｄの長さと略同じ長さに形成された板状の鋼材である。ジョイントプレート１７には、長さ方向に沿ってボルト貫通用の孔部１７ａ，１７ｂが、接合部１８ａと同じピッチで形成されている。孔部１７ａ，１７ｂは、接続対象となる２つのデッキプレート２にそれぞれ対応したものである。隣接した屋根ユニット１Ａにおけるデッキプレート２に、ジョイントプレート１７がボルト１７ｃ，１７ｄによって固定されることで、屋根ユニット１Ａ同士が接合される。
【００２９】
また、隣接する屋根ユニット１Ａの上面側では、防水シート７間に生じる間隙が防水シート７と同一材料からなる防水テープ２０によって塞がれる。図３に示されるように、まず、ビス１４や、ワッシャー１５によって防水シート７が損傷しないように、屋根ユニット１Ａの押さえボード６に目地テープ２１が接着される。そして、目地テープ２１の上に防水シート７の端部を両側から被せた後、防水シート７と防水テープ２０が溶着される。なお、押さえボード６に目地テープ２１が接着されるためには、図３に示されるように、防水シート７の端部の目地テープ２１と重なる領域が、工場等での製作時点で押さえボード６に接着されていない必要がある。
【００３０】
図２、図５に示されるように、屋根ユニット１Ａでは、他の屋根ユニット１Ａと接合されない側の端部（パラペットユニット３０と接合される側の端部）Ｂ２において、デッキプレート２の端縁が防水シート７、押さえボード６、断熱材５及び勾配材３の各端縁よりも飛び出している。換言すると、デッキプレート２よりも防水シート７、押さえボード６、断熱材５及び勾配材３が後退している。図示例では、防水シート７、押さえボード６、断熱材５及び勾配材３の端縁がデッキプレート２の外縁寄りの山部２ｂの中央で揃っている。これにより、デッキプレート２における外縁の谷部２ｃと、外縁寄りの山部２ｂの一部とが露出している。
【００３１】
デッキプレート２の端部Ｂ２は、谷部２ｃとなっている。この谷部２ｃには、溝方向にそって所定のピッチで接合部１８ｂが形成されている。接合部１８ｂは、例えばボルト貫通用の孔部である。この孔部と、建物１００の梁１０５に予め設けられた孔部１０５ａとがボルト１９ａ及びナット１９ｂによって接合されることで、屋根ユニット１Ａが建物１００に接合される。本実施形態では、谷部２ｃが露出しているため、デッキプレート２の上面側からボルト１９ａを挿通してナット１９ｂと締結し、屋根ユニット１Ａを建物１００の梁１０５に接合することができる。なお、梁１０５の上フランジの下面側からボルト１９ａを挿通してナット１９ｂと締結し、屋根ユニット１Ａを建物１００の梁１０５に接合してもよい。屋根ユニット１Ａが接合された梁１０５は、外壁取付部材（図示省略）を介して建物１００の外壁１１０を支持している。図２に示されるように、屋根ユニット１Ａの端部Ｂ２と外壁１１０との間には、パラペットユニット３０が配置される。
【００３２】
パラペットユニット３０は、プレート３１と、勾配材３と、断熱材５と、押さえボード６と、防水シート７とを備えている。勾配材３、断熱材５、押さえボード６及び防水シート７は、屋根ユニット１Ａと同様の構成である。プレート３１は、側面視略Ｚ形状の板状部材であり、上面部３１ａ、及び底面部３１ｂと、上面部３１ａと底面部３１ｂとに垂直に連続する側面部３１ｃとを有する。プレート３１は、例えば鋼製であるが、鋼製以外にも、他の金属類（鉄、ステンレス、アルミ、銅等）、木材、木質ボード（合板、パーティクルボード、ＭＤＦ、ＯＳＢ、ハードボード、ＣＬＴ、集成材、樹脂木材等）、セメント系ボード（ケイカル板、パルプ混入セメント板、スラグ石膏ボード、硬質木片セメント板、繊維混入スレート板等）であってもよい。
【００３３】
パラペットユニット３０は、プレート３１における底面部３１ｂの上面に勾配材３、断熱材５、押さえボード６、防水シート７が順次積層されて形成される。プレート３１の側面部３１ｃの上側、及び、プレート３１の上面部３１ａは、押さえボード６よりも上方に突出している。押さえボード６からプレート３１までは、密着した状態で、押さえボード６側からワッシャー３２を介してビス１４が打ち込まれている。これにより、押さえボード６、断熱材５、勾配材３及びプレート３１は一体的に固定される。このように一体的に固定された押さえボード６の上面には、粘着剤７ａによって防水シート７が接着される。防水シート７は、プレート３１の側面部３１ｃ及び上面部３１ａにも接着される。プレート３１の上面部３１ａと防水シート７との間には、笠木３５が設けられる。
【００３４】
パラペットユニット３０は、一方の側縁側（一端側）が梁１０５に設けられたＺ型の金属プレートであるパラペット下地１１５に支持され、他方の側縁側（他端側）が屋根ユニット１Ａのデッキプレート２に支持される。パラペットユニット３０の一端側には、プレート３１の上面部３１ａに重なるように、防水シート７、及び笠木３５が配置され、更に、上面部３１ａ、防水シート７、及び笠木３５を貫通するように孔部３６が形成されている。この孔部３６には、パラペット下地１１５の上面に予め固定されているボルト１１５ａが通され、更にナット１１５ｂで締結されて、パラペットユニット３０がパラペット下地１１５に接合される。また、パラペットユニット３０のプレート３１の側面部３１ｃはパラペット下地１１５の内側壁面に当接しており、底面部３１ｂは、パラペット下地１１５に固定された断面Ｌ字状のアングル１１６に支持されている。
【００３５】
パラペットユニット３０の他端側は、屋根ユニット１Ａのデッキプレート２における露出した山部２ｂに支持される。この状態で、ビス１４は、パラペットユニット３０における押さえボード６側から、屋根ユニット１Ａにおけるデッキプレート２までを貫通して接合するように打ち込まれる。なお、パラペットユニット３０と屋根ユニット１Ａとの隙間は、上面側から貼り付ける目地テープ２１及び防水テープ２０によって塞がれる。
【００３６】
屋根構造１０１Ａは、上述の通り、屋根ユニット１Ａとパラペットユニット３０とが接合されることで形成される。屋根構造１０１Ａは、勾配材３によって所定の勾配が形成されている。本実施形態では、例えば図６に示されるように、屋根ユニット１Ａごとに寄棟状の勾配が形成されている。この例では、隣接する屋根ユニット１Ａ間が勾配の谷部Ｅとなる。各屋根ユニット１Ａに振った雨水は、屋根ユニット１Ａの勾配によって谷部Ｅまで流れ、さらに谷部Ｅを流れることでパラペットユニット３０まで流れる。この流れによる排水と、谷部Ｅに水溜りとして残存する雨水の蒸発により、屋根ユニット１Ａに降った雨水が速やかに処理される。
【００３７】
（第２の実施形態）
次に図７を参照して第２の実施形態に係る屋根構造１０１Ｂについて説明する。本実施形態に係る屋根構造１０１Ｂは、屋根ユニット１Ａとは異なる屋根ユニット１Ｂを用いる点と、パラペットユニット３０ではなくパラペット部分を備えた屋根ユニット１Ｐを用いる点で、第１の実施形態に係る屋根構造１０１Ａと相違する。以下、主として第１の実施形態と相違する点について説明し、同一の要素や部材については同一の参照番号を付して詳しい説明は省略する。
【００３８】
屋根ユニット１Ｂは、第１の実施形態における屋根ユニット１Ａと基本的な構成は同じである。すなわち、屋根ユニット１Ｂは、デッキプレート２の上面に補強プレート１１，１２が配置され、その上に勾配材３、断熱材５、押さえボード６、防水シート７が順次積層されて形成される。押さえボード６からデッキプレート２までは、密着した状態で、押さえボード６側から平面視で円形状のワッシャー３２を介してビス１４が打ち込まれている。
【００３９】
この屋根ユニット１Ｂでは、デッキプレート２の溝方向Ｄ（図１参照）に平行な両側の端部Ｂ１において、防水シート７、押さえボード６、断熱材５、勾配材３及びデッキプレート２の端縁が揃っている。そのため、第１の実施形態における屋根ユニット１Ａでは、一方の外縁における谷部２ｃのみに支持材１６が設けられていたが、本実施形態の屋根ユニット１Ｂでは、いずれの外縁においても谷部２ｃに支持材１６が設けられている。また、デッキプレート２における溝方向Ｄに平行な外縁の谷部２ｃには、隣接する屋根ユニット１Ｐと接合するための接合部１８ａが設けられている。
【００４０】
また、上述のように、本実施形態では、パラペット部分を備えた屋根ユニット１Ｐが用いられる。屋根ユニット１Ｐは、パラペット部分を備えている点を除き、基本的な構成は屋根ユニット１Ａと同様である。すなわち、屋根ユニット１Ｐは、デッキプレート２の上面に勾配材３、断熱材５、押さえボード６、防水シート７が順次積層されて形成される。この屋根ユニット１Ｐは、屋根ユニット１Ａと異なり、補強プレート１１，１２を備えておらず、代わりにパラペット部分を形成するためのプレート４１を備えている。
【００４１】
プレート４１は、第１の実施形態に係るパラペットユニット３０におけるプレート３１の底面部３１ｂが屋根ユニット１Ｐの端部まで延在した形状となっている。そのため、プレート４１は、補強プレート１１とプレート３１の２つの機能を兼ね備えている。押さえボード６からデッキプレート２までは、密着した状態で、押さえボード６側からワッシャー３２を介してビス１４が打ち込まれている。また、デッキプレート２における梁１０５に接合される側の端部の谷部２ｃには、溝方向Ｄにそって所定のピッチで接合部１８ｂが形成されている。なお、プレート４１の底面部が屋根ユニット１Ｐの端部まで延在した形状ではなく、屋根ユニット１Ｐにおける最もパラペットに近い山部２ｂまで延在した形状であってもよい。
【００４２】
屋根ユニット１Ｐにおける屋根ユニット１Ｂに接合される側の端部では、防水シート７、押さえボード６、断熱材５、勾配材３及びデッキプレート２の端縁が揃っている。一方で、反対側の端部は、防水シート７、押さえボード６、断熱材５及び勾配材３が、デッキプレート２よりも突出し、パラペット部分を形成している。プレート４１は、側面視略Ｚ形状に屈曲しており、上面部４１ａと防水シート７との間には、パラペットユニット３０と同様に、笠木３５が設けられる。
【００４３】
屋根ユニット１Ｂと屋根ユニット１Ｐとの接合は、第１の実施形態における屋根ユニット１Ａ同士の接合と同様であり、ジョイントプレート１７が用いられる（図３参照）。屋根ユニット１Ｂ，１Ｐの上面側では、防水シート７間に生じる間隙が目地テープ２１及び防水テープ２０によって塞がれる。また、屋根ユニット１Ｐとパラペット下地１１５との接合は、第１の実施形態におけるパラペットユニット３０とパラペット下地１１５との接合と同様である（図５参照）。屋根ユニット１Ｐにおけるデッキプレート２の接合部１８ｂと梁１０５との接合は、ボルト１９ａを梁１０５側から締結する点において、第１の実施形態と相違する。
【００４４】
（第３の実施形態）
次に図８、図９を参照して第３の実施形態に係る屋根構造１０１Ｃについて説明する。屋根構造１０１Ｃでは、屋根ユニット１Ａとは異なる屋根ユニット１Ｃを用いる点で、第１の実施形態に係る屋根構造１０１Ａと相違しており、つまり、隣接する屋根ユニット１Ｃ間の納まりのみが第１の実施形態と相違している。以下、主として第１の実施形態と相違する点について説明し、同一の要素や部材については同一の参照番号を付して詳しい説明は省略する。
【００４５】
屋根ユニット１Ｃは、第１の実施形態における屋根ユニット１Ａと基本的な構成は同じである。すなわち、屋根ユニット１Ｃは、デッキプレート２の上面に補強プレート１１，１２が配置され、その上に勾配材３、断熱材５、押さえボード６、防水シート７が順次積層されて形成される。押さえボード６からデッキプレート２までは、密着した状態で、押さえボード６側からビス１４が打ち込まれている。
【００４６】
屋根ユニット１Ｃでは、隣接する他の屋根ユニット１Ｃと接合されない側の端部Ｂ２は、第１の実施形態と同様のパラペットユニット３０と接合される。屋根ユニット１Ｃとパラペットユニット３０の接合及びパラペットユニット３０と梁１０５との接合は、第１の実施形態と同様である。
【００４７】
一方、他の屋根ユニット１Ｃと接合される側の端部Ｂ２では、防水シート７、押さえボード６、断熱材５及び勾配材３の各端縁よりもデッキプレート２の端縁が飛び出している。この構成は、パラペットユニット３０に接合される側の端部Ｂ２と同様である。なお、屋根ユニット１Ｃ同士の接合は、ジョイントプレート１７によってなされるため、他の屋根ユニット１Ｃと接合される側の端部Ｂ２には、ジョイントプレート１７と接合するための接合部１８ａが形成されている。図示例における屋根ユニット１Ｃ同士の接合では、ボルトが上側から挿通されるため、接合部１８ａは例えばデッキプレート２の下面に設けられる。
【００４８】
隣接する屋根ユニット１Ｃ同士は、第１の実施形態と同様に、デッキプレート２の谷部２ｃ同士がジョイントプレート１７によって接合される。そして、当該接合部分の上方にジョイント部ユニット５０が配置される。図９に示されるように、ジョイント部ユニット５０は、押さえボード６、断熱材５及び勾配材３が、両面テープ（図示省略）によって接着されている。また、押さえボード６の上面には、防水シート７が粘着剤７ａで接着されている。ジョイント部ユニット５０は、屋根ユニット１Ｃにおける露出した山部２ｂに載置された状態で、押さえボード６側打ち込まれるビス１４によって隣接する屋根ユニット１Ｃのデッキプレート２に固定される。屋根ユニット１Ｃ及びジョイント部ユニット５０の上面側では、防水シート７間に生じる間隙は目地テープ２１及び防水テープ２０によって塞がれる。
【００４９】
（第４の実施形態）
次に図１０を参照して第４の実施形態に係る屋根構造１０１Ｄについて説明する。屋根構造１０１Ｄでは、屋根ユニット１Ａとは異なる屋根ユニット１Ｄを用いる点で、第１の実施形態に係る屋根構造１０１Ａと相違している。但し、屋根ユニット１Ｄの納まりは、基本的に、第１の実施形態と共通する。更に、屋根ユニット１Ｄは、屋根ユニット１Ａと同一の部材や要素を備えているので、以下の説明では、主として第１の実施形態と相違する点について説明し、同一の要素や部材については同一の参照番号を付して詳しい説明は省略する。
【００５０】
屋根ユニット１Ｄは、補強プレート１２と断熱材５との間、より詳しくは、補強プレート１２と勾配材３との間に不燃材５１が配置されている。不燃材５１は、例えば、通常の火災時における火熱により燃焼しない性能を有する材料であり、建築基準法第２条第９号に定められる不燃材料のほか、建築基準法施行令第１条第５号に基いて認定された準不燃材料が含まれる。不燃材５１は、ＡＬＣ板、石膏ボード、ケイカル板、木毛セメント板、木片セメント板、硬質木片セメント板等であってもよい。不燃材５１を用いることで、耐火性を向上できる。また、不燃材５１として、断熱材５や勾配材３よりも剛性の高い板材を用いることで、強度の向上にも有利である。
【００５１】
（第５の実施形態）
次に図１１を参照して第５の実施形態に係る屋根構造１０１Ｅについて説明する。屋根構造１０１Ｅでは、屋根ユニット１Ａとは異なる屋根ユニット１Ｅを用いる点、及びデッキプレート２の下面に不燃材５２が配置されている点で、第１の実施形態に係る屋根構造１０１Ａと相違している。但し、屋根ユニット１Ｅの納まりは、基本的に、第１の実施形態と共通する。更に、屋根ユニット１Ｅは、屋根ユニット１Ａと同一の部材や要素を備えているので、以下の説明では、主として第１の実施形態と相違する点について説明し、同一の要素や部材については同一の参照番号を付して詳しい説明は省略する。
【００５２】
屋根ユニット１Ｅは、補強プレート１２と断熱材５との間、より詳しくは、補強プレート１２と勾配材３との間に不燃材５１が配置されている。不燃材５１は、ＡＬＣ板、石膏ボード、ケイカル板、木毛セメント板、木片セメント板、硬質木片セメント板等であってもよい。不燃材５１を用いることで、耐火性を向上できる。また、不燃材５１として、断熱材５や勾配材３よりも剛性の高い板材を用いることで、強度の向上にも有利である。
【００５３】
また、屋根ユニット１Ｅのデッキプレート２の下面には不燃材５２が配置されている。不燃材５２は、不燃材５１と同様に、不燃材料のほか、準不燃材料が含まれる。不燃材５２は、ＡＬＣ板、石膏ボード、ケイカル板、木毛セメント板、木片セメント板、硬質木片セメント板等であってもよい。不燃材５２と不燃材５１とは同材質の板材であっても良いし、異なる材質の板材であっても良い。
【００５４】
不燃材５２は、基本的には予め工場等においてデッキプレート２に固定されているが、施工現場においてデッキプレート２に固定されてもよい。また、屋根ユニット１Ｅに対する不燃材５２の配置は任意に設定できる。例えば、予め工場等においてデッキプレート２の下面に対してジョイントプレート１７を避けた範囲に不燃材５２を配置しておき、施工現場においてジョイントプレート１７を用いて屋根ユニット１Ｅ同士を接合した後に、ジョイントプレート１７を覆う範囲に更に不燃材５２を配置してもよい。
【００５５】
不燃材５２を用いることで、特に、室内側（下方）からの耐火性を向上できる。また、不燃材５２として、断熱材５や勾配材３よりも剛性の高い板材を用いることで、強度の向上にも有利である。
【００５６】
また、第５の実施形態に係る屋根構造１０１Ｅでは、不燃材５１と不燃材５２との両方を用いた場合を例示したが、不燃材５１を省略し、不燃材５２のみを用いることも可能である。
【００５７】
以上、各実施形態に示された屋根ユニット１Ａ，１Ｂ，１Ｃ，１Ｐ，１Ｄ，１Ｅでは、押さえボード６とデッキプレート２とが断熱材５を挟持した状態で、押さえボード６からデッキプレート２までをビス１４が貫通している。このような構成により、所定の剛性を備えた押さえボード６とデッキプレート２とが一体化され、従来のような鉄骨のフレームを付加せずとも、屋根ユニット全体での面外剛性を向上させることができる。したがって、屋根ユニット１Ａ，１Ｂ，１Ｃ，１Ｐ，１Ｄ，１Ｅが軽量化され、施工性や搬入性が向上する。
【００５８】
また、屋根ユニット１Ａ，１Ｂ，１Ｃ，１Ｄ，１Ｅでは、デッキプレート２における複数の山部２ｂに架け渡され、複数の山部２ｂのうち少なくとも二つ以上の山部２ｂに対して固定される補強プレート１１を備えることで、面外剛性をさらに向上させることができる。同様に、屋根ユニット１Ｐでは、プレート４１を備えることで、面外剛性をさらに向上させることができる。
【００５９】
また、屋根ユニット１Ａ，１Ｂ，１Ｃ，１Ｐ，１Ｄ，１Ｅでは、デッキプレート２の外縁のうち溝方向Ｄに平行な外縁の谷部２ｃに接合部１８ａ、１８ｂが形成されているため、接合部１８ａ、１８ｂのボルト又はナットが山部２ｂ側に設けられた断熱材５等に干渉することがなく、施工性が向上する。また、デッキプレート２の接合部１８ａ、１８ｂが建物の躯体又は他の屋根ユニット１Ａ，１Ｂ，１Ｃ，１Ｐと接合され、躯体と複数の屋根ユニットとが一体化されることで、屋根の面剛性が高められる。これにより屋根構面の水平ブレースが省略できるので、施工性及びコストが改善される。
【００６０】
また、屋根ユニット１Ａ，１Ｂ，１Ｄ，１Ｅでは、外縁に形成された谷部２ｃの上方に向かって持ち出されるように固定される補強プレート１２や、谷部２ｃに設けられる支持材１６によって、屋根ユニットの外縁に歩行等による荷重が加わった場合であっても、押さえボード６等の端部が沈み込むことを抑制できる。
【００６１】
また、屋根ユニット１Ａ，１Ｃ，１Ｄ，１Ｅでは、外縁の少なくとも一辺において、断熱材５、押さえボード６等が外縁から後退して設けられている。デッキプレート２の外縁の少なくとも１辺で山部２ｂの一部を露出させることで、デッキプレート２を備えないパラペットユニット３０やジョイント部ユニット５０等の他の部材を露出した山部２ｂに支持させながら、他の部材を山部２ｂに接合できるので施工性を向上できる。
【００６２】
また、屋根ユニット１Ａ，１Ｂ，１Ｃ，１Ｐ，１Ｄ，１Ｅでは、勾配材３によって、屋根ユニットごとに寄棟状の水勾配が成形されることで、一つの陸屋根内に水勾配の谷部２ｃが多く形成される。これにより、雨水の排水及び蒸発を効率的に行うことができる。
【００６３】
また、屋根ユニット１Ａ，１Ｂ，１Ｃ，１Ｐでは、デッキプレート２と断熱材５との間、またはデッキプレート２と勾配材３との間に不燃材は配置されていない。また、デッキプレート２の下面に不燃材は配置されていない。しかしながら、デッキプレート２と断熱材５との間、特に、デッキプレート２と勾配材３との間に、上記の不燃材５１を配置してもよい。また、デッキプレート２の下面に不燃材５２を配置しても良い。不燃材５１，５２を配置することにより、耐火性を向上できる。また、不燃材５１，５２として、断熱材５や勾配材３よりも剛性の高い板材を用いることで、強度の向上にも有利である。なお、屋根構造においてパラペットユニット３０及びジョイント部ユニット５０が用いられている場合には、当然のことながら、例えばパラペットユニット３０及びジョイント部ユニット５０の勾配材３の下面にも不燃材５２が配置され得る。これにより、屋根構造全体の耐火性が向上する。
【００６４】
以上、本発明の実施の形態について図面を参照して詳述したが、具体的な構成はこの実施形態に限られるものではない。
【００６５】
例えば、図３に示されるように、隣接する屋根ユニット１Ａ同士の上面側に対して、防水シート７間に生じる間隙を防水テープ２０及び目地テープ２１のみによって塞ぐ例を示したが、これに限定されない。例えば、隣接する屋根ユニット１Ａを接合させた場合には、隣接する断熱材５間に間隙が生じることがある。この場合、断熱材５間の間隙を塞ぐように気密テープ２５を接着することで屋根の断熱性及び気密性を高めることができる。気密テープ２５は、断熱材５の上面に接着されるものである。そのため、気密テープ２５を用いる場合には、図１２に示されるように、屋根ユニット１Ａの押さえボード６を、予め断熱材５よりも後退させて形成しておく必要がある。これにより、断熱材５の上面が露出するため、この断熱材５の露出した部分に気密テープ２５を接着することができる。この場合、施工現場において気密テープ２５を接着した後に、気密テープ２５の上から押さえボード６１を固定する。そして、押さえボード６１の上から目地テープ２１が接着された後に、防水シート７と防水テープ２０とが溶着されるものである。押さえボード６１は、ビス１４が打ち込まれることで固定される。ビス１４は、補強プレート１２まで貫通する。なお、押さえボード６１は、断熱材５の露出した部分を被覆するサイズとなるように、予め加工されたものである。
【００６６】
また、図９に示されるように、屋根ユニット１Ｃ及びジョイント部ユニット５０の上面側に対して、防水シート７間に生じる間隙を防水テープ２０及び目地テープ２１のみによって塞ぐ例を示したが、これに限定されない。隣接する断熱材５間の間隙を塞ぐように気密テープ２５を接着してもよい。この場合、例えば、図１３に示されるように、屋根ユニット１Ｃの押さえボード６は、予め断熱材５よりも後退させるように形成されている。また、ジョイント部ユニット５０の押さえボード６２と断熱材５とは分離されている。これにより、屋根ユニット１Ｃ及びジョイント部ユニット５０の断熱材５の上面が露出するため、この断熱材５の露出した部分に気密テープ２５を接着することができる。押さえボード６２は、屋根ユニット１Ｃの押さえボード６が後退した分だけ端部側が突出している。この場合、施工現場において気密テープ２５を接着した後に、気密テープ２５の上から押さえボード６２をビス１４で固定し、さらに目地テープ２１及び防水テープ２０を接着するものである。
【００６７】
また、図７に示された例では、一つの屋根ユニット１Ｂにおける両端部Ｂ１にそれぞれ屋根ユニット１Ｐが接合されているが、これに限定されない。例えば、屋根ユニット１Ｂを複数連続して配置してもよい。端部Ｂ１同士が接合されるように複数の屋根ユニット１Ｂを配置することにより、屋根構造１０１Ｂを溝方向Ｄに平行な方向に拡張することができる。また、同様に、図８に示された例では、屋根ユニット１Ｃを複数連続して配置してもよい。この場合、隣り合う屋根ユニット１Ｃの間には、ジョイント部ユニット５０が配置される。このように、屋根ユニット１Ｃとジョイント部ユニット５０とが繰り返し配置されることで、屋根構造１０１Ｃを溝方向Ｄに平行な方向に拡張することができる。
【００６８】
また、上述した第１〜５の各実施形態においては、屋根ユニット１Ａ〜１Ｅのうちいずれか一種類のみが使用されているが、これに限定されず、屋根ユニット１Ａ〜１Ｅのうち複数の種類を併用することができる。例えば、図１４は、屋根ユニット１Ａ及び屋根ユニット１Ｂが併用されて形成された屋根構造１０１Ｆを示す平面図である。この例では、図面の左端と右端とにそれぞれ屋根ユニット１Ａが配置されており、周囲にパラペットユニット３０が配置されている。そして、左右の屋根ユニット１Ａ間に複数の屋根ユニット１Ｂが配置されている。図示例では、大きさの異なる２種類の屋根ユニット１Ａと，大きさの異なる２種類の屋根ユニット１Ｂとが使用されており、さらに４つの屋根ユニット１Ｂに囲まれた位置に屋根ユニット１Ｂａが配置されている。この屋根ユニット１Ｂａは、屋根ユニット１Ｂと同じ層構造を備えるものである。屋根ユニット１Ａと屋根ユニット１Ｂとは、互いに端部Ｂ１同士が対向する。また、屋根ユニット１Ｂ同士も互いに端部Ｂ１同士が対向する（屋根ユニット１Ｂと屋根ユニット１Ｂａとの関係も含む）。このため、屋根構造１０１Ｆでは、屋根ユニット間の接続のためにジョイント部ユニットを必要とすることなく、屋根ユニット１Ｂを増設することによって、屋根構造を溝方向Ｄに平行な方向（図面の左右方向）に拡張することができる。
【００６９】
また、図６において、屋根ユニットごとに寄棟状の勾配が形成される例を示したがこれに限定されない。例えば、図１５に示されるように、陸屋根の屋根構造１０１（屋根構造１０１Ａ〜１０１Ｅと同様の構成、又は、屋根構造１０１Ｆのように異なる屋根ユニットを組み合わせた構成）全体で寄棟状の勾配が形成されてもよい。この場合、屋根ユニット１（屋根ユニット１Ａ〜１Ｅのいずれかの構成を備えている）における勾配材３の配置は、当該屋根ユニット１が屋根構造１０１のどこに配置されるかで変わることになる。屋根ユニット１に振った雨水は、矢印で示されるように、勾配に従ってそのままパラペットＰまで流れることになる。このように形成されることで、排水を速やかに行うことができる。
【００７０】
また、第１の補強プレート１１が少なくとも二つ以上の山部２ｂ間にわたって固定される例を示したがこれに限定されない。例えば、第１の補強プレート１１は、少なくとも二つ以上の谷部２ｃ間にわたって固定されてもよい。この場合、第１の補強プレート１１は、デッキプレート２の下面側に配置され、第１の補強プレート１１側からデッキプレート２に向かってビスが打ち込まれることになる。
【００７１】
また、勾配材３がデッキプレート２と断熱材５との間に配置されている例を示したが、これに限定されない。例えば、勾配材３を断熱材５と押さえボード６との間に配置してもよい。
【符号の説明】
【００７２】
１Ａ〜１Ｃ，１Ｐ，１Ｄ，１Ｅ…屋根ユニット、２…デッキプレート、２ａ…溝、２ｂ…山部、２ｃ…谷部、３…勾配材、５…断熱材、６…押さえボード、１１…第１の補強プレート、１２…第２の補強プレート、１４…ビス（固定具）、１８ａ，１８ｂ…接合部、５１…不燃材、５２…不燃材、１０１（１０１Ａ〜１０１Ｅ）…屋根構造。
【図１】
0006574652.tif 000002
【図２】
0006574652.tif 000003
【図３】
0006574652.tif 000004
【図４】
0006574652.tif 000005
【図５】
0006574652.tif 000006
【図６】
0006574652.tif 000007
【図７】
0006574652.tif 000008
【図８】
0006574652.tif 000009
【図９】
0006574652.tif 000010
【図１０】
0006574652.tif 000011
【図１１】
0006574652.tif 000012
【図１２】
0006574652.tif 000013
【図１３】
0006574652.tif 000014
【図１４】
0006574652.tif 000015
【図１５】
0006574652.tif 000016